(57)【要約】【課題】軽量で簡単に設置することができるシート止水装置を提供する。【解決手段】載置面の上に立設された壁面の開口部へ設置された扉と前記開口部との間の隙間を止水するシート止水装置であって、止水シートと、該止水シートを前記扉へ取り付けるロープと、該止水シートの左右両端付近及び下端付近へ付着される止水材とを備え、前記止水シートが前記扉の外周へ回した前記ロープにより前記扉の内側へ取り付けられ、前記扉を締めた際に、前記止水シートの左右両端付近及に付着された止水材が前記開口部の左右両端部へ挟まれるとともに前記止水シートの下端付近へ付着された止水材が前記開口部の下端部へ挟まれることで前記扉と前記開口部との間の隙間の止水を行う。【選択図】図１
2020002540.tif 000002
【特許請求の範囲】
【請求項１】
載置面の上に立設された壁面の開口部へ設置された扉と前記開口部との間の隙間を止水するシート止水装置であって、
止水シートと、該止水シートを前記扉へ取り付けるロープと、該止水シートの左右両端付近及び下端付近へ付着される止水材とを備え、
前記止水シートが前記扉の外周へ回した前記ロープにより前記扉の内側へ取り付けられ、前記扉を締めた際に、前記止水シートの左右両端付近及に付着された止水材が前記開口部の左右両端部へ挟まれるとともに前記止水シートの下端付近へ付着された止水材が前記開口部の下端部へ挟まれることで前記扉と前記開口部との間の隙間の止水を行うことを特徴とするシート止水装置。
【請求項２】
前記止水シートに前記ロープを保持するロープ保持部が備えられていることを特徴とする請求項１に記載のシート止水装置。
【請求項３】
前記ロープがその一端に前記ロープの他端を取り付ける取り付け具を有することを特徴とする請求項１又は２に記載のシート止水装置。
【請求項４】
前記止水シートの左右両端付近に前記扉の幅を図る目印が設けられていることを特徴とする請求項１乃至３何れか1項に記載のシート止水装置。
【請求項５】
載置面の上に立設された壁面の開口部へ設置された扉と前記開口部との間の隙間を止水するシート止水方法であって、
前記扉の内側へ止水シートをロープで取付け、前記扉と前記開口部との隙間を前記止水シートの左右両端と下端に取り付けられた止水材を挟むことで前記開口部の止水を行うことを特徴とするシート止水方法。
【請求項６】
前記扉が複数の部材により組み立てられている場合に前記部材の間の接合部からの漏水を前記止水シートで受け止めて前記扉と前記止水シートの間へ溜めることを特徴とする請求項５に記載のシート止水方法。
【発明の詳細な説明】
【技術分野】
【０００１】
本発明は、建物の外から流れ込む水を扉で止水するシート止水装置に関する。
【背景技術】
【０００２】
従来、載置面へアンカーボルトなどで直立固定された止水枠板と、この止水枠板を被覆する防水布と、を備えた洪水防止用止水装置が提案されている（例えば、特許文献１参照）。特許文献１に記載された従来の止水装置は、洪水時に土嚢の代わりに用いられ土嚢よりも設置が容易にされる。このような止水装置では、防水布のうち床に沿った部分（底面止水部）の上側を水が流れ、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水装置では、構成枠材が多く、設置に手間がかかうえに、非使用時に枠材をしまっておくために大きな貯蔵施設が必要になる。
【０００５】
また多くの枠材を用いる従来の止水装置は重量が大きくなり設置も難しいという問題点がある。したがって、本発明の目的は、軽量で簡単に設置することができる止水装置を提供することにある。
【課題を解決するための手段】
【０００６】
本発明のシート止水装置は、載置面の上に立設された壁面の開口部へ設置された扉と前記開口部との間の隙間を止水するシート止水装置であって、止水シートと、該止水シートを前記扉へ取り付けるロープと、該止水シートの左右両端付近及び下端付近へ付着される止水材とを備え、前記止水シートが前記扉の内側へ前記扉の外側へ回した前記ロープにより取り付けられ、前記扉を締めた際に、前記止水シートの左右両端付近及に付着された止水材が前記開口部の左右両端部へ挟まれるとともに前記止水シートの下端付近へ付着された止水材が前記開口部の下端部へ挟まれることで前記扉と前記開口部との間の隙間の止水を行うことを特徴とする。
【０００７】
止水シートが扉の外周へ回した前記ロープにより扉の内側へ取り付けられ、前記扉を締めた際に、前記止水シートの左右両端付近及に付着された止水材が前記開口部の左右両端部へ挟まれるとともに前記止水シートの下端付近へ付着された止水材が前記開口部の下端部へ挟まれるので簡便な構造で止水効果が高まる。また、漏れる水を止水シートで受け止めることができる。
【０００８】
本発明のシール止水装置は、止水シートにロープを保持するロープ保持部が備えられていることを特徴とする。
【０００９】
止水シートにロープを保持するロープ保持部が備えられているのでロープの高さ位置が定まり止水シートを効果的に扉へ取り付けることができる。
【００１０】
本発明のシート止水装置は、ロープがその一端に前記ロープの他端を取り付ける取り付け具を有することを特徴とする。
【００１１】
ロープがその一端に前記ロープの他端を取り付ける取り付け具を有するので扉の幅に依らず止水シート扉を周回するロープで確実に取り付けることができる。
【００１２】
本発明のシート止水装置は、止水シートの左右両端付近に扉の幅を図る目印が設けられていることを特徴とする。
【００１３】
止水シートの左右両端付近に扉の幅を図る目印が設けられているので扉の幅に合わせて止水材を止水シートへ取り付けることが容易になる。
【００１４】
本発明のシート止水方法は、載置面の上に立設された壁面の開口部へ設置された扉と前記開口部との間の隙間を止水するシート止水方法であって、扉の内側へ止水シートをロープで取付け、前記扉と前記開口部との隙間を前記止水シートの左右両端と下端に取り付けられた止水材を挟むことで前記開口部の止水を行うことを特徴とする。
【００１５】
扉の内側へ止水シートをロープで取付け、前記扉と前記開口部との隙間を前記止水シートの左右両端と下端に取り付けられた止水材を挟むことで前記開口部の止水を行うので効果的に止水を行い、漏れる水を止水シートで受け止めることができる。
【００１６】
本発明のシート止水方法は、扉が複数の部材により組み立てられている場合に前記部材の間の接合部からの漏水を止水シートで受け止めて前記扉と前記止水シートの間へ溜めることを特徴とする。
【００１７】
扉が複数の部材により組み立てられている場合に前記部材の間の接合部からの漏水を止水シートで受け止めて前記扉と前記止水シートの間へ溜めるので、止水装置の構造材になっている扉からの漏水も受け止めて止水することができる。
【図面の簡単な説明】
【００１８】
【図１】本発明に係るシート止水装置の展開図である。
【図２Ａ】シート止水装置を扉の内側へ取り付けた様子を示す説明図である。
【図２Ｂ】扉と扉枠の間に挟まれた止水材の様子を示す説明図である。
【図３Ａ】扉が部材となるガラスや金属板で構成されている様子を示す説明図である。
【図３Ｂ】部材の間の隙間から漏水を扉と止水シートとで受け止める様子を示す説明図である。
【図４】（Ａ）止水シートへ記載される目印と（Ｂ）その拡大図である。
【発明を実施するための形態】
【００１９】
以下、本発明の実施形態を図面に基づいて説明する。図１に示す本実施形態のシート止水装置１０は、防水能を持つ布やビニールシートで作られる止水シート１と止水シート１を止水対象の扉へ取り付けるロープ８．９で構成される。
【００２０】
図1Ａに示すシート止水装置１０は止水シート１の上端部及び中間部にロープ８．９を通すロープ保持部６，７を有する。ここへロープを通すことでロープがシート１により保持されて高さが定まり止水シート１を確実に扉へ取り付けることができる。
【００２１】
止水シートの下端は扉と床の間へ挟み込むことで固定されるのでロープによる補強は無くてもよい。ただし止水シートの下端は水圧が一番高くなる部分なので下端部にも必要であればロープをかけることも差し使えない。
【００２２】
ロープ８、９は止水シート１を止水する扉の屋内側へ取り付ける際に扉の屋外側へ取り出し、扉を一周又はそれ以上に扉の外周を回してロープの両端を結ぶ。ロープの一端にはロープの他端を止めるロープ結合部１１，１２が接続されているので扉の幅に合わせてロープの長さを調整が容易である。
【００２３】
ロープ８．９は止水シートと扉を共締めしてロープの他端をロープ結合部１１、１２へ通しロープを締めあげた状態でロープの他端をロープの一端へ固定する。ロープ結合部として例えばＤＣバックルなどが好適である。
【００２４】
止水シート１との左右両端付近には止水材２，３が両面テープ或いは接着剤で付着される。また、止水シート１の下端付近には同じく止水材４が両面テープ或いは接着剤で付着される。止水材２，３の止水シート１への固定位置は止水する扉の幅で決めるので使用時に位置決めをする。また、下端部の止水材４の位置は止水材を扉の下端と床の間へ入れる際に扉の外側から止水シートを引張ることがあるので止水材４から止水シート１の下端までに若干余裕を持たせた位置へ止水材を固定する。
【００２５】
止水材は、独立発泡のスポンジ状のものが好適である。柔軟性、弾力性に富んだ独立発泡構造を持つ、耐候性、水密性にすぐれた発泡シール材を市場で入手可能である。独立発泡のシール材は元の形状の半分以下に圧縮された状態で良好な止水効果を発揮する。止水材は単一な材料でも複数の材料を合わせて用いても良い。例えば、扉と扉枠の隙間が大きい時は断面Ｕ字型のゴム材へ独立発泡のスポンジを重ねたものが好適となる。
【００２６】
図２Ａはシート止水装置を扉へ取り付けた様子を示している。本発明が適用されて好適なのは扉枠にはまる扉である。扉２０は締めた状態で扉の左右両端部は扉枠２３に嵌るようになり、扉の下端部も扉枠へ嵌る形になる。
【００２７】
図２Ｂ（１）は、図２ＡのＡ―Ａ線での断面図である。扉２０は載置面である床に立設された壁面の開口部へ設けられた扉枠２３の中へ設置される。扉２０の右端が扉枠２３へ嵌っている状態を示している。止水材２は扉２０と扉枠２３の間に挟まれて圧縮されて図の矢印方向の水を止水する。
【００２８】
図２Ｂ（２）は、図２ＡのＢ―Ｂ線での断面図で扉の下端と床に置かれた枠材または直接に床材との間で止水材４が圧縮されていて図の矢印方向の水を止水する。
【００２９】
図３Ａは扉が複数の部材で構成されている場合の説明図である。例えば扉の上半分はガラス２５で下半分はアルミ板２６などを用いる。サッシの枠材とガラスやアルミ板の隙間の接合部は通常ゴム等の弾性体をパッキング材として用い部材間の隙間を埋めているが水圧が掛かると埋めきれない隙間から水が漏れる。漏れた水は扉と室内側に張られた止水シートの間へ溜めることができるので部材間の隙間から漏水を止水することができる。
【００３０】
漏れた水が止水シート１と扉２０の間へ溜まる様子を図３Ｂに示す。扉の外には水３０が来ておりこれを扉２０で止水するが扉２０と開口部との間の隙間から漏水がある。止水シートの左右両端付近及び下端付近へ付着される止水材２，３，４を開口部との間へ挟み圧縮することで止水する。図３Ｂでは止水材４が扉２０と床２１の間へ挿入され圧縮されて止水している。止水材及びパッキングの部分からの漏水を止水シート１と扉との間へ溜めて止水を行う。
【００３１】
アルミ板２６と枠材の間はパッキング２８で隙間を埋めるが埋めきれない隙間から外部からの水３０が室内側へ漏れてくる。また、止水材の部分からも漏水が有る。漏れてきた水は扉２０と止水シート１の間へ溜まり水圧が止水シート１を扉から離すように力を加えるので図に示すように止水シート１は室内側へ膨らむ。止水シートはロープ８，９により扉へ締め付けられているので水を溜めた状態を保つことができる。
【００３２】
図４（Ａ）は止水シート１へ止水する扉の幅を図る目印１３，１４が設けられている様子を示す。図４（Ｂ）は目盛の拡大図である。市販されている扉の幅は８０ｃｍから９４ｃｍのものが多いので現場で扉の幅を止水シートの目盛り１３，１４で測り止水する扉の角が止水材のほぼ中央へ来るように左右両端の止水材を止水シートへ固定する位置を決める。
【００３３】
このように、扉の内側へ止水シートをロープで取付け、扉２０と開口部との隙間を止水シートの左右両端と下端に取り付けられた止水材を挟むことで開口部の止水を行うことができる。また扉が複数の部材により組み立てられている場合に部材の間の接合部からの漏水を前記止水シートで受け止めて扉と止水シートの間へ溜めることで漏水を防止することができる。本発明は扉を構造材として用いているので簡便な止水方法を提供することができる。
【００３４】
上記に説明した発明に類した発明はその構成が本発明と異なって技術思想が同一であれば本発明の範囲に含まれる。
【符号の説明】
【００３５】
１  止水シート
２，３，４  止水材
６、７  ロープ保持部
８，９  ロープ
１０  シート止水装置
１１，１２  ロープ結合部
１３，１４  目印
２０  扉
２１  床
２２  壁
２３  枠材
２５  ガラス
２６  アルミ板
２７、２８  パッキング
３０  水
【図１】
2020002540.tif 000003
【図２Ａ】
2020002540.tif 000004
【図２Ｂ】
2020002540.tif 000005
【図３Ａ】
2020002540.tif 000006
【図３Ｂ】
2020002540.tif 000007
【図４】
2020002540.tif 000008